(57)【要約】【課題】元図を忠実に再現したモザイクタイル壁画を短時間で製作可能な方法を提案すること。【解決手段】モザイクタイル壁画の製作方法では、まず、大判のタイル１を割って複数のタイル片１ａを形成し（ステップＳＴ１）、各タイル片１ａを割った時の配列状態で並べて、水性インクの受像面を形成し（ステップＳＴ２）、その上にインクジェットプリンタ４５を用いて壁画の元図５を印刷し（ステップＳＴ３）、印刷面を表面保護層で保護して（ステップＳＴ４）、複数のモザイクタイル１ｂを作る。これらのモザイクタイル１ｂを、印刷時の配列状態で壁面７に貼りつけてモザイクタイル壁画８を製作する（ステップＳＴ５）。従って、元図５を忠実に再現したモザイクタイル壁画８を簡単に、短時間で製作することができる。【選択図】　　　図１
2004082440.tif 000002
【特許請求の範囲】
【請求項１】
複数のタイル片を平面上に敷き詰め、
これらの表面にインクジェットプリンタを用いて壁画の元図を印刷して複数のモザイクタイルを作り、
前記複数のモザイクタイルを、印刷時の配列状態で壁面に貼り付けてモザイクタイル壁画を製作することを特徴とするモザイクタイル壁画の製作方法。
【請求項２】
大判のタイルを細かく割って複数のタイル片を作り、
割った状態に並べられた前記複数のタイル片の表面にインクジェットプリンタを用いて壁画の元図を印刷して複数のモザイクタイルを作り、
前記複数のモザイクタイルを、印刷時の配列状態で壁面に貼り付けてモザイクタイル壁画を製作することを特徴とするモザイクタイル壁画の製作方法。
【請求項３】
請求項１または２において、
前記複数のタイル片を目地間隔をあけた状態に並べて印刷することを特徴とするモザイクタイル壁画の製作方法。
【請求項４】
請求項１、２または３において、
印刷前の前記複数のタイル片の表面に、下地処理剤を塗布して水性インク用の受像層を形成することを特徴とするモザイクタイル壁面の製作方法。
【請求項５】
請求項１ないし４のうちのいずれかの項において、
印刷後の前記複数のタイル片の表面に、表面処理剤を塗布して水性インクによる印刷画像を、少なくとも紫外線および／または雨水による劣化から保護する保護層を形成することを特徴とするモザイクタイル壁画の製作方法。
【請求項６】
請求項１ないし５のうちのいずれかの項において、
前記タイル片を搬送トレイの上に並べ、この搬送トレイを前記インクジェットプリンタの印刷位置を経由させて搬送することにより、各タイル片に印刷を施すことを特徴とするモザイクタイル壁画の製作方法。
【請求項７】
請求項１ないし６のうちいずれかの項において、
前記壁画の元図を、パーソナルコンピュータを中心に構成される制御手段により、スキャナを駆動制御して画像情報として読み取り、
前記壁画の元図を印刷するときは、前記制御手段の制御の下に、読み取った情報を、前記インクジェットプリンタによって印刷することを特徴とするモザイクタイル壁画の製作方法。
【請求項８】
請求項１ないし６のうちいずれかの項において、
前記壁画の元図を印刷するときは、パーソナルコンピュータを中心に構成される制御手段により制作した画像等の情報を、前記インクジェットプリンタによって印刷することを特徴とするモザイクタイル壁画の製作方法。
【発明の詳細な説明】
【０００１】
【発明の属する技術分野】
本発明は、建物の壁面などに各色のモザイクタイルを貼り付けて、絵画や図案等を表すモザイクタイル壁画を製作する方法に関するものである。
【０００２】
【従来の技術】
モザイクタイル壁画は、絵画や図案等の元図に従って、壁面に各色のモザイクタイルを貼り付けることにより製作される。
【０００３】
【発明が解決しようとする課題】
ここで、モザイクタイル壁画の製作では、まず、各色のモザイクタイルを多数枚用意し、それらの中から元図の色、図柄に合うモザイクタイルを１枚ずつ探して、壁面に貼り付けていくので、製作に時間がかかる。
【０００４】
また、多様なモザイクタイルを用意しても、それらの色には限りがあるため、元図の色、図柄を忠実に再現することは難しい。
【０００５】
そこで、本発明の課題は、元図を忠実に再現したモザイクタイル壁画を短時間で製作可能な方法を提案することにある。
【０００６】
【課題を解決するための手段】
上記の課題を解決するために、本発明のモザイクタイル壁面の製作方法では、予め製作されている同一あるいは異なる形状のタイル片を用意し、または、大判のタイルを細かく割って複数のタイル片を作り、
平面上に前記タイル片を並べ、または、割った状態に前記複数のタイル片を並べ、その表面にインクジェットプリンタを用いて壁画の元図を印刷して複数のモザイクタイルを作り、
前記複数のモザイクタイルを、印刷時の配列状態で壁面に貼り付けてモザイクタイル壁画を製作することを特徴としている。
【０００７】
本発明では、印刷画像と同一画像が描かれたモザイクタイル壁画を製作できるので、元図の色、図柄を忠実に再現することができる。また、従来の製作方法とは異なり、多数のモザイクタイルの中から元図に合った色、形のモザイクタイルを１つずつ探しながら元図を壁面上に再現する必要がないので、モザイクタイル壁画を簡単に、短時間で製作することができる。
【０００８】
ここで、目地付きの状態のモザイクタイル壁画を製作する場合には、前記複数のタイル片を目地間隔をあけた状態に並べて印刷すればよい。
【０００９】
次に、インクジェットプリンタの印刷用インクとしては油性インクおよび水性インクを用いることができるが、水性インクを用いる場合には、印刷前の前記複数のタイル片の表面に、下地処理剤を塗布して水性インク用の受像層を形成すればよい。
【００１０】
また、印刷画像の耐久性、耐候性を高めるためには、印刷後の前記複数のタイル片の表面に、表面処理剤を塗布して水性インクによる印刷画像を、少なくとも紫外線および／または雨水による劣化から保護する保護層を形成することが好ましい。
【００１１】
ここで、タイル片を搬送トレイ上に並べ、この搬送トレイを前記インクジェットプリンタの印刷位置を経由させて搬送することにより、各タイル片に印刷を施すことができる。
【００１２】
次に、前記壁画の元図を、パーソナルコンピュータを中心に構成される制御手段により、スキャナを駆動制御して画像情報として読み取り、前記壁画の元図を印刷するときは、前記制御手段の制御の下に、読み取った情報を、前記インクジェットプリンタによって印刷する方法を採用することができる。また、スキャナを用いずに、パーソナルコンピュータにインストールした画像処理ソフトなどを利用して、画像などを制作して印刷するようにしてもよい。
【００１３】
【発明の実施の形態】
以下に、図面を参照して、本発明を適用したモザイクタイル壁画の製作方法の例を説明する。
【００１４】
図１は本例のモザイクタイル壁画の製作方法を示す説明図である。この図を参照して説明すると、本例のモザイクタイル壁画の製作方法では、まず、大判のタイル１を用意する。この大判のタイル１を木づち２などで叩いて、細かく割って、複数のタイル片１ａを作る。次に、複数のタイル片１ａを割った状態に並べて、表面に下地処理剤をスプレーガン３で吹き付けて、水性インクの受像層を形成する。スプレーガン３の代わりに、ロールコータ等を用いても良く、あるいは刷毛を用いて塗布してもよい（ステップＳＴ１、ＳＴ２）。
【００１５】
次に、割った状態に並べた複数のタイル片１ａの表面に、インクジェット式印刷システム４を用いて、壁画の元図５を印刷する（ステップＳＴ３）。インクジェット式印刷システム４は、パーソナルコンピュータ４１と、画像読取用のスキャナ４２と、キーボードなどの入力部４３と、ＣＲＴや液晶表示器などの表示器４４と、インクジェットプリンタ４５とを含んでいる。
【００１６】
ここで、インクジェットプリンタ４５としては、本願人により製造販売されているインクジェットプリンタ（製品番号：ＭＭＰ９００１Ｒ）を用いることが望ましい。このインクジェットプリンタは、素材厚さ８０ｍｍ、素材幅１１１８ｍｍ、素材長さ２０００ｍｍまでの大きさの媒体表面に印刷を行うことができる。
【００１７】
また、元図５は、写真、例えば、絵画や図案の写真、アナログカメラで撮影したもの、そのポジフィルムやネガフィルムなどを用いることができる。また、元図５は、画像処理ソフト等で制作した電子情報の形態であってもよい。
【００１８】
なお、本例では、元図５の画像を、１枚の大判のタイル１のサイズに合わせて印刷している。勿論、元図５を、複数枚の大判のタイル１を並べたサイズに拡大してもよく、そのような場合には、元図５の画像を分割した画像を１枚のタイルに印刷すればよい。
【００１９】
元図５の画像情報をスキャナ４２によって読み取り、これを、パーソナルコンピュータ４１において編集して、インクジェットプリンタ４５を駆動制御して、その搬送トレイ４６に割った状態で並べた複数のタイル片１ａに印刷する。
【００２０】
ここで、複数のタイル片１ａを、インクジェットプリンタ４５の印刷位置４５ａを経由して往復移動する搬送トレイ４６に載せると、複数のタイル片１ａの取り扱いが簡単になる。特に、最初から、大判のタイル１を搬送トレイ４６に載せ、細かく割って複数のタイル片１ａを作るようにすれば、そのまま元図の印刷を行うことができるので便利である。
【００２１】
次に、印刷後のタイル片１ａを搬送トレイ４６に載せたまま取り出し、タイル片１ａの印刷面に、スプレーガン６等を用いて表面処理剤を塗布して、紫外線遮蔽あるいは紫外線吸収特性のある保護層を形成する。形成する保護層は、耐候性、耐水性、耐久性のあるものであることが望ましい。この結果、壁画を構成するモザイクタイル１ｂが得られる（ステップＳＴ４）。
【００２２】
これらの複数のモザイクタイル１ｂを制作した後は、壁面７に各モザイクタイル１ｂを、大判のタイル１を割った時の配列状態で、モルタルなどによって貼り付ける（ステップＳＴ５）。この結果、壁面７には、印刷画像と同一画像が描かれたモザイクタイル壁画８が形成される。なお、目地付きのモザイクタイル壁画を製作する場合には、複数のタイル片１ａを目地間隔をあけた状態に並べて、元図５を印刷すればよい。
【００２３】
このように、本例のモザイクタイル壁画の製作方法では、大判のタイル１を割って複数のタイル片１ａ形成し、各タイル片１ａを割った時の配列状態で並べ、表面に元図５の画像をインクジェットプリンタ４５で印刷して、モザイクタイル１ｂを作り、モザイクタイル壁画８を製作する。従って、印刷画像と同一画像が描かれたモザイクタイル壁画８を製作できるので、元図５の色、図柄を忠実に再現することができる。
【００２４】
また、従来の製作方法とは異なり、多数のモザイクタイルの中から元図に合った色、形のモザイクタイルを１つずつ探さなくてもよいので、モザイクタイル壁画８を簡単に、短時間で製作することができる。
【００２５】
（その他の実施の形態）
上記の例では、モザイクタイル１ｂを大判のタイル１を割って作っているが、複数枚の小形の矩形タイルを並べて、それらの表面に元図５の画像を印刷して、各モザイクタイルを作ってもよい。
【００２６】
なお、下地処理剤、表面処理剤としては、本願人が提案しているもの（特開２０００−１９０４６２号公報、特開２０００−３０１７０７号公報、特開２００１−３０６１５号公報に開示のもの）を用いることが望ましい。これらの下地処理剤、表面処理剤は、油性インクを使用して印刷する場合には不要である。
【００２７】
【発明の効果】
以上説明したように、本発明のモザイクタイル壁画の製作方法では、タイル片を並べ、その上に画像をインクジェットプリンタで印刷して複数のモザイクタイルを作り、各モザイクタイルを壁面に貼り付けてモザイクタイル壁画を製作している。
【００２８】
従って、印刷画像と同一画像が描かれたモザイクタイル壁画を壁面上に忠実に再現することができる。また、従来の製作方法とは異なり、多数のモザイクタイルの中から元図に合った色、形のモザイクタイルを１つずつ探さなくてもよいので、モザイクタイル壁画を簡単に、短時間で製作することができる。
【００２９】
また、本発明では、大判のタイルを割り、複数枚のタイル片を作り、割られた状態のままに並べられているタイル片の表面に画像を印刷している。従って、形状の異なるモザイクタイル片を用いて作成されたモザイクタイル壁画を簡単に製作できる。
【図面の簡単な説明】
【図１】本発明を適用したモザイクタイル壁画の製作方法の一例を示す説明図である。
【符号の説明】
１　　大判のタイル
１ａ　タイル片
１ｂ　モザイクタイル
２　　木づち
３　　スプレーガン
４　　インクジェット式印刷システム
５　　元図
６　　スプレーガン
７　　壁面
８　　壁画
４１　パーソナルコンピュータ
４２　スキャナ
４３　入力部
４４　表示器
４５　インクジェットプリンタ
４５ａ　印刷位置
４６　搬送トレイ
【図１】
2004082440.tif 000003